(57)【要約】【課題】剥離した接着シートを確実に保持して被着体に貼付することができるシート貼付装置およびシート貼付方法を提供すること。【解決手段】シート貼付装置１は、接着シートＡＳが帯状の剥離シートＲＬに仮着された原反ＲＳを繰り出す繰出手段１０と、剥離シートＲＬを折り曲げて剥離シートＲＬから接着シートＡＳを剥離する剥離手段２０と、接着シートＡＳを保持する保持部材３１を有し、保持部材３１で保持した接着シートＡＳを被着体ＷＫに押圧して貼付する押圧手段３０とを備え、剥離手段２０は、原反ＲＳの繰出方向上流側に後退した後退部２３を有し、後退部２３で剥離シートＲＬから接着シートＡＳの一部を剥離可能とされ、保持部材３１は、後退部２３内に配置可能に設けられ、剥離シートＲＬから一部が剥離された接着シートＡＳを保持する。【選択図】図１
2014088201.tif 000002
【特許請求の範囲】
【請求項１】
接着シートが帯状の剥離シートに仮着された原反を繰り出す繰出手段と、
前記剥離シートを折り曲げて当該剥離シートから前記接着シートを剥離する剥離手段と、
前記接着シートを保持する保持部材を有し、当該保持部材で保持した接着シートを被着体に押圧して貼付する押圧手段とを備え、
前記剥離手段は、前記原反の繰出方向上流側に後退した後退部を有し、当該後退部で前記剥離シートから前記接着シートの一部を剥離可能に設けられ、
前記保持部材は、前記後退部内に配置可能に設けられ、前記剥離シートから一部が剥離された接着シートを保持することを特徴とするシート貼付装置。
【請求項２】
前記保持部材は、前記原反の繰出し方向に直交する原反の幅方向に複数並設され、
前記押圧手段は、前記複数の保持部材を互いに近接離間方向に移動させる開閉手段を備えていることを特徴とする請求項１に記載のシート貼付装置。
【請求項３】
接着シートが帯状の剥離シートに仮着された原反を繰り出す工程と、
繰り出された前記原反の剥離シートを当該原反の繰出方向上流側に後退した後退部内に折り曲げ、前記剥離シートから前記接着シートの一部を剥離する工程と、
剥離された接着シートの一部を後退部内で保持する工程と、
保持した接着シートを被着体に押圧して貼付する工程とを実施することを特徴とするシート貼付方法。
【発明の詳細な説明】
【技術分野】
【０００１】
本発明は、接着シートを被着体に貼付するシート貼付装置およびシート貼付方法に関する。
【背景技術】
【０００２】
従来、剥離シートから剥離された接着シートを一旦保持し、保持した接着シートを被着体に押圧して貼付するシート貼付装置が知られている（例えば、特許文献１参照）。
特許文献１に記載のシート貼付装置は、帯状台紙（剥離シート）に仮着されたラベル（接着シート）にエアを吹き付けながら当該ラベルを剥離する剥離部と、ラベル剥離部の近傍に設けられた吸着体と、ラベルを被着体に押圧する押圧ローラとを備え、剥離されたラベルが吸着体で吸着されながら吸着面に沿って送られ、当該接着シートが押圧ローラで押圧されて被着体に貼付されるようになっている。
【先行技術文献】
【特許文献】
【０００３】
【特許文献１】特開２００６−１４３２３４号公報
【発明の概要】
【発明が解決しようとする課題】
【０００４】
しかしながら、特許文献１に記載されたような従来のシート貼付装置では、剥離部と吸着体との間に、互いの接触を防止するための隙間があるため、ラベルが押圧ローラに渡らずに落下し、被着体にラベルを貼付することができないという不都合がある。また、ラベルが剥離部で剥離されることなく剥離シートと共に巻き取られてしまうという不都合もある。
【０００５】
本発明の目的は、剥離した接着シートを押圧手段に確実に受け渡すことで、ラベルが被着体に貼付できなくなることを防止することができるシート貼付装置およびシート貼付方法を提供することにある。
【課題を解決するための手段】
【０００６】
本発明のシート貼付装置は、接着シートが帯状の剥離シートに仮着された原反を繰り出す繰出手段と、前記剥離シートを折り曲げて当該剥離シートから前記接着シートを剥離する剥離手段と、前記接着シートを保持する保持部材を有し、当該保持部材で保持した接着シートを被着体に押圧して貼付する押圧手段とを備え、前記剥離手段は、前記原反の繰出方向上流側に後退した後退部を有し、当該後退部で前記剥離シートから前記接着シートの一部を剥離可能に設けられ、前記保持部材は、前記後退部内に配置可能に設けられ、前記剥離シートから一部が剥離された接着シートを保持することを特徴とする。
【０００７】
本発明のシート貼付装置において、前記保持部材は、前記原反の繰出し方向に直交する原反の幅方向に複数並設され、前記押圧手段は、前記複数の保持部材を互いに近接離間方向に移動させる開閉手段を備えていることが好ましい。
【０００８】
一方、本発明のシート貼付方法は、接着シートが帯状の剥離シートに仮着された原反を繰り出す工程と、繰り出された前記原反の剥離シートを当該原反の繰出方向上流側に後退した後退部内に折り曲げ、前記剥離シートから前記接着シートの一部を剥離する工程と、
剥離された接着シートの一部を後退部内で保持する工程と、保持した接着シートを被着体に押圧して貼付する工程とを実施することを特徴とする。
【発明の効果】
【０００９】
以上のような本発明によれば、接着シートを剥離シートから部分的に剥離し、この部分的に剥離した位置を保持部材で保持するので、押圧手段に接着シートを確実に受け渡すことができ、接着シートが押圧手段に渡らずに落下することや、剥離手段で剥離されることなく剥離シートと共に巻き取られることを防止でき、接着シートが被着体に貼付できなくなることを防止することができる。
【００１０】
また、複数の保持部材を接離させる開閉手段を設ければ、接着シートを全体的に被着体の被着面に押圧することができ、当該接着シートを被着体に確実に貼付することができる。
【図面の簡単な説明】
【００１１】
【図１】本発明の一実施形態に係るシート貼付装置を示す側面図。
【図２】（Ａ）、（Ｂ）は、図１のシート貼付装置の動作説明図。
【発明を実施するための形態】
【００１２】
以下、本発明の一実施形態に係るシート貼付装置を図面に基づいて説明する。
なお、本明細書におけるＸ軸、Ｙ軸、Ｚ軸は、それぞれが直交する関係にあり、Ｘ軸およびＹ軸は、水平面内の軸とし、Ｚ軸は、水平面に直交する軸とする。さらに、本実施形態では、Ｙ軸と平行な図１の手前方向から観た場合を基準とし、方向を示した場合、「上」がＺ軸の矢印方向で「下」がその逆方向、「左」がＸ軸の矢印方向で「右」がその逆方向、「前」がＹ軸の紙面に直交する手前方向で「後」がその逆方向とする。
【００１３】
図１において、シート貼付装置１は、基材シートＢＳの一方の面に接着剤層ＡＤを有する接着シートＡＳが擬似接着剤層ＡＰを介して帯状の剥離シートＲＬに仮着された原反ＲＳを繰り出す繰出手段１０と、剥離シートＲＬを折り曲げて当該剥離シートＲＬから接着シートＡＳを剥離する剥離手段２０と、接着シートＡＳを保持する保持部材３１を有し、当該保持部材３１で保持した接着シートＡＳを被着体ＷＫに押圧して貼付する押圧手段３０とを備え、被着体ＷＫを搬送可能なベルトコンベアやローラコンベア等の搬送手段ＣＶの下方に配置されている。なお、擬似接着剤層ＡＰは基材シートＢＳ側に設けられた第１擬似接着剤層ＡＰ１と、剥離シートＲＬ側に設けられた第２擬似接着剤層ＡＰ２とにより構成されている。
【００１４】
繰出手段１０は、原反ＲＳを巻回して支持する支持ローラ１１と、原反ＲＳを案内するガイドローラ１２と、駆動機器としての回動モータ１３によって駆動される駆動ローラ１４と、駆動ローラ１４との間に剥離シートＲＬを挟み込むピンチローラ１５と、駆動機器としての回動モータ１７によって駆動され、剥離シートＲＬを回収する回収ローラ１６とを備えている。
【００１５】
剥離手段２０は、図２に示すように、左端縁に折曲端縁２１を有する剥離板２２により構成される。折曲端縁２１は、原反ＲＳの繰出方向上流側（右方向）に平面視Ｖ字状に後退した後退部２３を有している。
【００１６】
押圧手段３０は、駆動機器としての直動モータ３２と、直動モータ３２の出力軸３２Ａに支持された駆動機器であって開閉手段としてのリニアモータ３３と、リニアモータ３３の２つのスライダ３３Ａに支持され、原反ＲＳの繰出し方向に直交する原反ＲＳの幅方向（前後方向）に並設された一対の保持部材３１とを備え、剥離手段２０の後退部２３内に一対の保持部材３１を配置可能に構成されている。保持部材３１の上面は、接着シートＡＳを保持する保持面３１Ａとされ、保持部材３１が後退部２３内に配置されたときに当該保持面３１Ａの後退部２３内に位置する領域に減圧ポンプや真空エジェクタ等の吸引手段３４と連通する吸引孔３４Ａが形成されている。
【００１７】
以上のシート貼付装置１において、被着体ＷＫに接着シートＡＳを貼付する手順について説明する。
先ず、原反ＲＳを図１に示すようにセットし、保持部材３１の右端部が平面視で剥離板２２の後退部２３内（図２（Ａ）参照）に位置するとともに、保持面３１Ａが接着シートＡＳよりも下方に位置する状態に保持部材３１を待機させる。次に、搬送手段ＣＶによって搬送される被着体ＷＫが図示しない撮像手段やセンサ等の検知手段によって検知されると、当該被着体ＷＫが保持部材３１上方の所定位置で停止する。次いで、繰出手段１０が回動モータ１３を駆動し、原反ＲＳを所定量繰り出すとともに、剥離シートＲＬに張力を付与し、剥離シートＲＬを後退部２３に沿って食い込むように折り曲げる。これにより、図２（Ａ）に示すように、接着シートＡＳの前後両端部が剥離シートＲＬに仮着した状態となる一方、接着シートＡＳにおける後退部２３に位置する中央部分が剥離シートＲＬから剥離された状態となる。そして、押圧手段３０が直動モータ３２を駆動し、保持部材３１を上昇させて保持部材３１を第１擬似接着剤層ＡＰ１に当接させた後、吸引手段３４を駆動し、保持面３１Ａで接着シートＡＳの中央部分を吸着保持する。
【００１８】
この後、押圧手段３０が直動モータ３２を駆動し、図１中二点鎖線で示すように、接着シートＡＳを被着体ＷＫの下面に押圧して貼付した後、吸引手段３４の駆動を停止するとともに、リニアモータ３３を駆動し、図２（Ｂ）に示すように、一対の保持部材３１を互いに離間する方向にそれぞれ移動させる。これにより、接着シートＡＳ全体に押圧力を付与して当該接着シートＡＳを確実に被着体ＷＫに貼付することができる。
以上のようにして接着シートＡＳが被着体ＷＫに貼付されると、押圧手段３０がリニアモータ３３を駆動し、一対の保持部材３１を互いに当接する方向にそれぞれ移動させた後、直動モータ３２を駆動し、保持部材３１を図１中実線に示す位置に下降させる。その後、搬送手段ＣＶを駆動し、接着シートＡＳが貼付された被着体ＷＫを別の工程に搬送し、以降上記同様の動作が繰り返される。
【００１９】
以上のような本実施形態によれば、次のような効果がある。
すなわち、接着シートＡＳを剥離シートＲＬから部分的に剥離し、この部分的に剥離した位置を保持部材３１で保持するので、押圧手段３０に接着シートＡＳを確実に受け渡すことができ、接着シートＡＳが押圧手段３０に渡らずに落下することや、剥離手段２０で剥離されることなく剥離シートＲＬと共に巻き取られることを防止でき、接着シートＡＳが被着体ＷＫに貼付できなくなることを防止することができる。
【００２０】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【００２１】
例えば、剥離手段２０において、折曲端縁２１は、少なくとも一部に後退部２３を有していればよく、折曲端縁２１に後退部２３を複数設けてもよい。また、後退部２３としては、原反ＲＳの繰出方向上流側に後退した形状であれば、平面視Ｃ字状やＵ字状などのいずれの形状を採用してもよい。さらに、剥離手段２０として、屈曲により後退部を構成する棒状の屈曲部材を用いたり、外周面に凹凸を有し、当該凹凸により後退部を構成する剥離ローラを用いたりしてもよい。
【００２２】
また、押圧手段３０は、保持部材３１を１つとし、保持面３１Ａで吸着保持した接着シートＡＳを被着体ＷＫに押圧した後、当該保持部材３１をリニアモータ３３で接着シートＡＳの前後両端に移動させて当該接着シートＡＳ全体に押圧力を付与して貼付するように構成してもよい。
さらに、前記実施形態のように、接着シートＡＳ全体に押圧力を付与して貼付した後、再度、接着シートＡＳを被着体ＷＫに押圧した状態のまま保持部材３１を互いに接近する方向にそれぞれ移動させ、接着シートＡＳに押圧力を付与する構成としてもよい。
また、保持部材３１を被着体ＷＫから所定間隔離れた位置で停止させ、保持部材３１の吸引孔３４Ａから空気やガスなどの気体を吹き出し、気体の吹付けにより接着シートＡＳを押圧してもよいし、他の押圧手段を設け、保持部材３１が保持されていない部分の接着シートＡＳを被着体ＷＫに押圧するようにしてもよい。
さらに、吸引手段３４に代えて接着シートＡＳの接着剤層ＡＤより接着性が弱い粘着層を保持面３１Ａに設けて接着シートＡＳを接着保持してもよいし、静電チャックを保持面３１Ａに設けてもよい。
【００２３】
また、シート貼付装置１全体を天地反転して配置し、搬送手段ＣＶで搬送されてくる被着体ＷＫの上面に接着シートＡＳを貼付するように構成してもよい。
【００２４】
さらに、接着シートＡＳの種別や材質などは、特に限定されず、例えば、基材シートＢＳと接着剤層ＡＤとの間に設けられる中間層を有するものや、他の層を有する等３層以上のものでもよい。被着体ＷＫが適宜な物品（例えば、段ボールケースや樹脂容器等）の場合、接着シートＡＳは、装飾用や品質表示用のラベルであってもよい。また、被着体ＷＫが半導体ウェハの場合、シリコン半導体ウェハや化合物半導体ウェハ等が例示でき、このような半導体ウェハに貼付する接着シートＡＳは、保護シート、ダイシングテープ、ダイアタッチフィルムに限らず、その他の任意のシート、フィルム、テープ等、任意の用途、形状のシート等が適用できる。さらに、被着体ＷＫが光ディスクの基板であって、接着シートＡＳが記録層を構成する樹脂層を有したものであってもよい。以上のように、被着体ＷＫとしては、ガラス板、鋼板、樹脂板、基板等や、その他の部材のみならず、任意の形態の部材や物品なども対象とすることができる。また、接着シートＡＳは、剥離シートＲＬに接着剤層を介して仮着されたものであってもよい。さらに、接着シートＡＳは、折曲端縁２１の左端から後退部２３の右端までの寸法よりも大きい左右幅の寸法を有するものであってもよいし、折曲端縁２１の左端よりも左側に突出する左右幅を有するものであってもよい。
【００２５】
また、前記実施形態における駆動機器は、回動モータ、直動モータ、リニアモータ、単軸ロボット、多関節ロボット等の電動機器、エアシリンダ、油圧シリンダ、ロッドレスシリンダ、チャックシリンダおよびロータリシリンダ等のアクチュエータ等を採用することができる上、それらを直接的または間接的に組み合せたものを採用することもできる（実施形態で例示したものと重複するものもある）。
【符号の説明】
【００２６】
１        シート貼付装置
１０      繰出手段
２０      剥離手段
２３      後退部
３０      押圧手段
３１      保持部材
３３      リニアモータ（開閉手段）
ＡＳ      接着シート
ＲＬ      剥離シート
ＲＳ      原反
ＷＫ      被着体
【図１】
2014088201.tif 000003
【図２】
2014088201.tif 000004